(57)【要約】【課題】電子機器に搭載される接続基板にカメラモジュール等の電子部品を容易且つ確実に接続でき、しかも小型化を図ることができる電子部品の基板接続構造の提供。【解決手段】電子部品５０は、両側面下縁より突出した張り出し部５３，５３を備え、電子部品取付用ソケット５１は、上面側に電子部品５０の底部が嵌り込む凹溝状の部品嵌合部２を有するハウジング３は、張り出し部５３の上面部と互いに係合する浮き上がり防止片３６，３６と、張り出し部５３のソケット奥行き方向奥側縁が当て止めされる当て止め部３１と、弾性抜け止め部材２０とを備え、弾性抜け止め部材２０は、部品嵌合部２内に出入り可能に突出し、張り出し部５３のソケット奥行き方向手前側に向けた移動を規制する弾性係止片２３を有し、弾性係止片２３は、底板側に押圧されることにより部品嵌合部２より退避する方向に移動するようにした。【選択図】図３
2013101799.tif 000002
【特許請求の範囲】
【請求項１】
基板に接続された電子部品取付用ソケットを介して電子部品を前記基板に電気的に接続させるようにしてなる電子部品の基板接続構造において、
前記電子部品は、両側面下縁より各々水平方向外向きに突出した一対の張り出し部を備え、
前記電子部品取付用ソケットは、上面側に前記電子部品の底部が嵌り込む凹溝状の部品嵌合部を有するハウジングと、前記部品嵌合部の内底面より突出した弾性接触部を各々有する複数のコンタクトとを備え、
前記ハウジングは、前記張り出し部の上面部と互いに係合し、前記電子部品の浮き上がり方向の移動を規制する浮き上がり防止片と、該浮き上がり防止片のソケット奥行き方向奥側に配置され、前記張り出し部のソケット奥行き方向奥側縁が当て止めされる当て止め部と、前記浮き上がり防止片のソケット奥行き方向手前側に配置された弾性抜け止め部材とを備え、
該弾性抜け止め部材は、前記部品嵌合部内に出入り可能に突出し、前記張り出し部のソケット奥行き方向手前側に向けた移動を規制する弾性係止片を有し、前記弾性係止片は、底板側に押圧されることにより前記部品嵌合部より退避する方向に移動するようにしたことを特徴としてなる電子部品の基板接続構造。
【請求項２】
前記弾性係止片は、一端を前記ハウジングに支持させたガイド片と、該ガイド片の他端側に配置され、前記張り出し部のソケット奥行き方向手前側縁と互いに係合する係止部とを備え、前記ガイド片は、前記係止部側をソケット幅方向内向き下側に向けて傾斜させた形状に形成された請求項１に記載の電子部品の基板接続構造。
【請求項３】
前記弾性抜け止め部材又は前記ハウジングは、前記弾性係止片のソケット奥行き方向手前側に前記弾性係止片の側縁と対向する配置に変形防止用ガイド片を備えた請求項１又は２に記載の電子部品の基板接続構造。
【請求項４】
前記弾性抜け止め部材は、前記弾性係止片と互いに平行な二股状に形成された弾性押上片を備えた請求項１、２又は３に記載の電子部品の基板接続構造。  
【発明の詳細な説明】
【技術分野】
【０００１】
本発明は、カメラモジュール等の電子部品を携帯電話機等の電子機器に搭載される接続基板に取り付ける為の電子部品の基板接続構造に関する。
【背景技術】
【０００２】
従来、携帯電話機等の電子機器は、その内部にプリント配線基板を備え、そのプリント配線基板に、カメラモジュール等の電子部品を取り付けるようになっており、熱に弱い電子部品は、直接半田付けによって取り付けることができないので、図９に示す如き電子部品取付用ソケット１００を用いてプリント配線基板１０１に接続するようにしている（例えば、特許文献１を参照）。
【０００３】
この種の電子部品取付用ソケット１００は、方形状の底版１０３の四辺より立ち上げた形状の周壁１０４に囲まれた電子部品収容部１０５ を有する上面部が開口した中空箱状のソケットハウジング と、底版１０３より突出した弾性接触部１０７を各々有する複数のコンタクト１０８，１０８...とを備え、カメラモジュール等の電子部品１０６を電子部品収容部１０５内に保持させることによって、電子部品１０６の底面に露出した信号端子がコンタクトの弾性接触部１０７と接触し、電子部品１０６がコンタクト１０８，１０８...を介してプリント配線基板１０１に電気的に接続されるようになっている。
【０００４】
また、この電子部品取付用ソケット１００は、ソケットハウジングの周壁１０４に、電子部品収容部１０５内に突出して電子部品１０６の側部と互いに係合する電子部品固定金具１０９，１０９を備え、この電子部品固定金具１０９により電子部品１０６を電子部品収容部１０５内に保持するようになっている。
【先行技術文献】
【特許文献】
【０００５】
【特許文献１】特開２００６−１００１８９号公報
【発明の概要】
【発明が解決しようとする課題】
【０００６】
しかしながら、携帯電話機等の電子機器の小型軽量化に伴い、電子機器に搭載されるプリント配線基板上に占める各部品の占有スペースの縮小も望まれているところ、上述の如き従来の技術では、カメラモジュール等の電子部品が収容されるソケットハウジングが方形状の底版の四辺より立ち上げた形状の周壁を有し、且つ周壁の内側に電子部品固定金具を配した構造であるので、電子部品を取り付けるにはプリント配線基板上に一定の占有体積を確保せざるを得ず、小型化を阻害するおそれがあった。
【０００７】
そこで、本発明は、このような従来の問題に鑑み、電子機器に搭載される基板にカメラモジュール等の電子部品を容易且つ確実に接続でき、しかも電子部品が基板に占めるスペースの縮小を図ることができる電子部品の基板接続構造の提供を目的としてなされたものである。
【課題を解決するための手段】
【０００８】
上述の如き従来の問題を解決し、所期の目的を達成するための請求項1に記載の発明の特徴は、基板に接続された電子部品取付用ソケットを介して電子部品を前記基板に電気的に接続させるようにしてなる電子部品の基板接続構造において、前記電子部品は、両側面下縁より各々水平方向外向きに突出した一対の張り出し部を備え、前記電子部品取付用ソケットは、上面側に前記電子部品の底部が嵌り込む凹溝状の部品嵌合部を有するハウジングと、前記部品嵌合部の内底面より突出した弾性接触部を各々有する複数のコンタクトとを備え、前記ハウジングは、前記張り出し部の上面部と互いに係合し、前記電子部品の浮き上がり方向の移動を規制する浮き上がり防止片と、該浮き上がり防止片のソケット奥行き方向奥側に配置され、前記張り出し部のソケット奥行き方向奥側縁が当て止めされる当て止め部と、前記浮き上がり防止片のソケット奥行き方向手前側に配置された弾性抜け止め部材とを備え、該弾性抜け止め部材は、前記部品嵌合部内に出入り可能に突出し、前記張り出し部のソケット奥行き方向手前側に向けた移動を規制する弾性係止片を有し、前記弾性係止片は、底板側に押圧されることにより前記部品嵌合部より退避する方向に移動するようにしたことにある。
【０００９】
請求項２に記載の発明の特徴は、請求項１の構成に加え、前記弾性係止片は、一端を前記ハウジングに支持させたガイド片と、該ガイド片の他端側に配置され、前記張り出し部のソケット奥行き方向手前側縁と互いに係合する係止部とを備え、前記ガイド片は、前記係止部側をソケット幅方向内向き下側に向けて傾斜させた形状に形成されたことにある。
【００１０】
請求項３に記載の発明の特徴は、請求項１又は２の構成に加え、前記弾性抜け止め部材又は前記ハウジングは、前記弾性係止片のソケット奥行き方向手前側に前記弾性係止片の側縁と対向する配置に変形防止用ガイド片を備えたことにある。
【００１１】
請求項４に記載の発明の特徴は、請求項１、２又は３の構成に加え、前記弾性抜け止め部材は、前記弾性係止片と互いに平行な二股状に形成された弾性押上片を備え、該弾性押上片は、前記弾性係止片のソケット奥行き方向奥側に配置されたことにある。
【発明の効果】
【００１２】
本発明に係る電子部品の基板接続構造は、上述したように、基板に接続された電子部品取付用ソケットを介して電子部品を前記基板に電気的に接続させるようにしてなる電子部品の基板接続構造において、前記電子部品は、両側面下縁より各々水平方向外向きに突出した一対の張り出し部を備え、前記電子部品取付用ソケットは、上面側に前記電子部品の底部が嵌り込む凹溝状の部品嵌合部を有するハウジングと、前記部品嵌合部の内底面より突出した弾性接触部を各々有する複数のコンタクトとを備え、前記ハウジングは、前記張り出し部の上面部と互いに係合し、前記電子部品の浮き上がり方向の移動を規制する浮き上がり防止片と、該浮き上がり防止片のソケット奥行き方向奥側に配置され、前記張り出し部のソケット奥行き方向奥側縁が当て止めされる当て止め部と、前記浮き上がり防止片のソケット奥行き方向手前側に配置された弾性抜け止め部材とを備え、該弾性抜け止め部材は、前記部品嵌合部内に出入り可能に突出し、前記張り出し部のソケット奥行き方向手前側に向けた移動を規制する弾性係止片を有し、前記弾性係止片は、底板側に押圧されることにより前記部品嵌合部より退避する方向に移動するようにしたことにより、電子部品をプリント配線基板等の基板に容易且つ確実に固定することができるとともに、当該電子部品が基板に占めるスペースの縮小を図ることができる。
【００１３】
また、本発明において、前記弾性係止片は、一端を前記ハウジングに支持させたガイド片と、該ガイド片の他端側に配置され、前記張り出し部のソケット奥行き方向手前側縁と互いに係合する係止部とを備え、前記ガイド片は、前記係止部側をソケット幅方向内向き下側に向けて傾斜させた形状に形成されたことにより、電子部品を上側から押し込んだ際に電子部品の底部をコネクタ幅方向の正しい位置に誘導し、容易に接続できる。
【００１４】
更に本発明において、前記弾性抜け止め部材又は前記ハウジングは、前記弾性係止片のソケット奥行き方向手前側に前記弾性係止片の側縁と対向する配置に変形防止用ガイド片を備えたことにより、弾性係止片の変形を防止することができる。
【００１５】
前記弾性抜け止め部材は、前記弾性係止片と互いに平行な二股状に形成された弾性押上片を備えたことにより、弾性接触部とともに電子部品底面を上向きに押圧し、電子部品を接続基板に対し水平に保つことができる。また、弾性押上片電子部品底面に露出させた端子と弾性的に接触させることで弾性抜け止め部材を介して電子部品を基板と電気的に接続させることができる。
【図面の簡単な説明】
【００１６】
【図１】本発明に係る電子部品の基板接続構造の一例を示す斜視図である。
【図２】同上の平面図である。
【図３】同上の分解斜視図である。
【図４】（ａ）は図１中の電子部品取付用ソケットを示す上側から見た斜視図、（ｂ）は同下側から見た斜視図である。
【図５】（ａ）は図４中の弾性抜け止め部材の一例を示す平面図、（ｂ）は同正面図、（ｃ）は同底面図である。
【図６】（ａ）は図４中のホールドダウン部材を示す斜視図、（ｂ）は同底面側から見た斜視図である。
【図７】本発明に係る電子部品の基板接続構造の他の一例を示す平面図である。
【図８】図７中の電子部品取付用ソケットを示す斜視図である。
【図９】従来の電子部品の基板接続構造の一例を示す縦断面図である。
【発明を実施するための形態】
【００１７】
次に、本発明に係る電子部品の基板接続構造の実施の態様を図１〜図６に示した実施例に基づいて説明する。尚、図中符号５０はカメラモジュール等の電子部品、符号５１は電子部品取付用ソケット、Ｂは接続基板である。
【００１８】
この電子部品の基板接続構造では、接続基板Ｂに接続された電子部品取付用ソケット５１を備え、この電子部品取付用ソケット５１に電子部品５０を装着することによりカメラモジュール等の電子部品５０を接続基板Ｂに電気的に接続させるようになっている。
【００１９】
カメラモジュール等の電子部品５０は、上下方向に一定の厚みを有する本体部５２と、本体部５２の両側面下縁より水平方向外向きに突出した張り出し部５３，５３とを備え、且つ本体部５２の底面に複数の信号端子を露出させている。
【００２０】
尚、電子部品５０は、ソケット奥行き方向に間隔を置いて別個の張り出し部５４，５４を設けてもよく、電子部品５０の向きを変えて張り出し部５４，５４側の底部を部品嵌合部２に嵌め込むようにしてもよい。
【００２１】
一方、電子部品取付用ソケット５１は、凹溝状の部品嵌合部２を上面側に配したハウジング３と、ハウジング３の底面部より部品嵌合部２内に弾性的に突出させた弾性接触部４を各々有する複数のコンタクト５、５...とを備え、電子部品５０の底部を部品嵌合部２に嵌め込むことにより、電子部品本体部５２の底面に露出させた各信号端子が弾性接触部４と弾性的に接触するとともに、電子部品本体５２が電子部品取付用ソケット５１の上面より上向きに突出するように装着されるようになっている。
【００２２】
ハウジング３は、図４に示すように、絶縁樹脂製のモールド部材１０と、導電性金属材からなるホールドダウン部材１１とをもって一体的に形成され、上面側にソケット奥行き方向に貫通した凹溝状の部品嵌合部２を有し、この部品嵌合部２に電子部品５０の底部が嵌め込まれるようになっている。
【００２３】
モールド部材１０は、平板状の底板部１２と、底板部１２のソケット幅方向両側縁より上向きに立ち上げた形状の側壁部１３，１３とを備え、両側壁部１３，１３間に部品嵌合部２が形成されている。
【００２４】
底板部１２は、ソケット幅方向に長い矩形状に形成され、その中央部に厚み方向に貫通した中央開口部１４が形成されている。
【００２５】
また、底板部１２には、中央開口部１４のソケット奥行き方向手前側部にインサート成形により各コンタクト５，５...の一部が埋設され、弾性接触部４側をソケット奥行き方向奥側に向けて各コンタクト５，５...がソケット幅方向に間隔を置いた平行配置に組み込まれている。
【００２６】
各コンタクト５，５...は、導電性金属材を打ち抜き・折り曲げ加工することにより形成され、細長板状の基部１５と、基部１５の一方の端部より上向きに傾けて折り曲げた形状の弾性接触部４と、基部１５の他方の端部より下向きに傾斜した連結部１６と、連結部１６より水平方向に向けて折り曲げた形状の基板接続部１７とを備えている。
【００２７】
コンタクト５は、基部１５の一部及び連結部１６がモールド部材１０に埋設され、弾性接触部４が基部１５に支持されて上下方向に弾性変形できるようになっている。尚、各弾性接触部４，４...は、下側に中央開口部１４が配置されており、弾性変形時に底板部１２と干渉しないようになっている。
【００２８】
一方、基板接続部１７は、連結部１６の一端よりソケット奥行き方向手前側に向けて延出され、ハウジング３底面に形成された露出溝部より、ハウジング３底面に露出し、接続基板Ｂに形成された端子パターンＰ，Ｐ...に半田付けされるようになっている。
【００２９】
また、モールド部材１０の底板部１２には、ソケット奥行き方向手前側両側部に切欠き部１８，１８が形成され、この切欠き部１８に弾性抜け止め部材２０がインサート成型により一体的に組み込まれている。
【００３０】
弾性抜け止め部材２０は、図５に示すように、導電性金属板材を打ち抜き、折り曲げ加工することにより一体に形成され、平板状の固定板部２１と、固定板部２１の側縁より垂直上向きに折り曲げた形状の支持部２２と、支持部２２の上縁に支持された弾性係止片２３とを備えている。
【００３１】
固定板部２１は、矩形状の本体２１ａと、本体２１ａの一方の隅部に配置された固定用突片２１ｂとをもって形成され、本体２１ａ及び固定用突片２１ｂには、モールド部材１０側の縁部に沿って底面側に段差部２４，２４...が形成されている。
【００３２】
このように本体２１ａ及び固定用突片２１ｂに各々段差部２４を設けたことにより、インサート成型時に絶縁性樹脂が段差部２４，２４に入り込み、それにより弾性抜け止め部材２０が固定板部２１をハウジング３底面に露出させた状態でモールド部材１０に固定できるようになっている。
【００３３】
また、固定板部本体２１ａには、支持部２２と直交する配置に変形防止ガイド片部２５が形成されている。
【００３４】
この変形防止ガイド片部２５は、固定板部本体２１ａ縁部より上向きに折り曲げた形状に形成され、弾性係止片２３のソケット奥行き方向手前側且つ弾性係止片２３の側縁と互いに対向する配置に形成されている。
【００３５】
一方、支持部２２は、モールド部材１０に組み込まれた際にハウジング３側面に露出する位置になるように形成されている。
【００３６】
また、弾性係止片２３は、支持部２２の上縁よりソケット幅方向内側下方に向けて傾斜した形状のガイド片部２６と、ガイド片部２６のソケット幅方向内側に配置された係止部２７とを備え、支持部２２側端部を基軸に上下方向で弾性変形できるようになっている。
【００３７】
両ガイド片部２６、２６は、先端がソケット幅方向で部品嵌合部２の内側面と略同じ位置且つ内底面と略同じ高さとなるように形成され、電子部品５０を電子部品取付用ソケット５１に装着する際の位置決め用ガイドとして機能するようになっている。
【００３８】
係止部２７は、ガイド片２６先端部より上方に膨出した円弧状に折り曲げた形状に形成され、部品嵌合部２側部の浮き上がり防止片３６よりソケット奥行き方向手前側部に出入り可能に突出し、この係止部２７を上方より押圧することにより弾性係止片２３が弾性変形して部品嵌合部２内より退避する方向に移動し、押圧力が解除されると弾性復帰して部品嵌合部２内に突出するようになっている。
【００３９】
ホールドダウン部材１１は、図６に示すように、導電性金属板材を打ち抜き・折り曲げ加工することにより一体に形成され、ソケット幅方向に長い細長板状のフレーム部３０と、フレーム部３０の両側部より上向きに折り曲げた形状の当て止め部片３１，３１と、当て止め部片３１より水平方向外向きに折り曲げた配置の上板片３２と、上板片３２の側縁より下向きに折り曲げた形状の側板片３３と、側板片３３の下縁より内向きに折り曲げた形状の基板接続片３４とを備えている。
【００４０】
また、ホールドダウン部材１１には、上板片３２、側板片３３及び基板接続片３４をもって断面コ字状の固定部３５が形成され、この固定部３５が側壁部１３の外側面部に嵌め込まれ、モールド部材１０とホールドダウン部材１１とを一体化させるようになっている。
【００４１】
フレーム部３０は、ソケット奥行き方向奥側縁部にモールド部材１０の底面部縁部と互いに係合される凹部３０ａが形成され、この凹部３０ａがモールド部材１０の底面縁部１２ａと係合することによりモールド部材１０に対するホールドダウン部材１１のソケット奥行き方向の移動が規制されるようになっている。
【００４２】
当て止め部片３１は、ホールドダウン部材１１とモールド部材１０とを組み込むことにより部品嵌合部２の内側部且つソケット奥行き方向奥側に配置されて当て止め部を構成し、電子部品５０の底部を部品嵌合部２に嵌め込んだ際に、当て止め部３１，３１に張り出し部５３，５３のソケット奥行き方向奥側縁が当て止めされるようになっている。
【００４３】
上板片３２は、ソケット幅方向の幅が側壁部１３の壁厚より長く、且つ当て止め部片３１よりソケット奥行き方向手前側に向けて延長された矩形状に形成され、ホールドダウン部材１１とモールド部材１０とを一体化させることにより内側縁部が側壁部１３の上縁より内側に張り出し、部品嵌合部２内側面上縁部よりソケット幅方向内向きに張り出した薄板状の浮き上がり防止片３６が形成されるようになっている。
【００４４】
この浮き上がり防止片３６，３６と張り出し部５３，５３の上面部とが互いに係合し、電子部品５０の浮き上がり方向の移動を規制するようになっている。
【００４５】
基板接続片３４は、ハウジング３底面に露出し、接続基板Ｂに形成された固定用パターンに半田付けにより固定され、それによりハウジング３全体が接続基板Ｂに接続されるようになっている。
【００４６】
このように構成された電子部品の基板接続構造では、図２に示すように、電子部品５０の底部を部品嵌合部２の奥行方向手前側でハウジング３上面側より底板側に向けて押し込み、更に、その状態でソケット奥行き方向奥側に向けて電子部品５０の底部をスライド移動させて部品嵌合部２内に嵌め込むことにより、各コンタクト５，５...の弾性接触部４とカメラモジュール等の電子部品５０の信号端子とを弾性的に接触させるようになっている。
【００４７】
この電子部品５０の底部をハウジング３上面側より底板側に向けて押し込む際には、ガイド片部２６，２６が互いにソケット幅方向内側に向けて傾斜しているので電子部品５０の底部のソケット幅方向位置が部品嵌合部２の位置から逸脱していてもガイド片部２６によってソケット幅方向中央側に誘導されるようになっている。
【００４８】
また、弾性係止片２３は、張り出し部５３，５３の下面により底板側に押圧されて部品嵌合部２より退避する方向に弾性変形し、電子部品５０の底部を部品嵌合部２に向けて水平スライド移動させる際にその移動を阻害しないようになっている。
【００４９】
一方、電子部品５０の底部をスライド移動させると張り出し部５３，５３が浮き上がり防止片３６，３６下に挿入されるとともに、張り出し部５３，５３のソケット奥行き方向奥側縁が当て止め部３１，３１に当て止めされて電子部品５０底部が部品嵌合部２内に嵌り込み、電子部品５０底部の水平スライド移動に伴い張り出し部５３，５３の位置が弾性係止片２３，２３上より移動すると、弾性係止片２３，２３が押圧された状態から解除されて弾性復帰し、張り出し部５３，５３のソケット奥行き方向手前側に向けた移動を規制するようになっている。
【００５０】
このように電子部品の基板接続構造では、容易に電子部品底部を部品嵌合部２内に嵌め込むことができ、また、浮き上がり防止片３６，３６により電子部品５０の浮き上がり方向の移動が規制されるとともに、張り出し部５３，５３が当て止め部３１と弾性係止片２３との間に挟持されてソケット奥行き方向の移動が規制されるので、確実に装着がなされ、振動や落下により電子部品５０が電子部品取付用ソケット５１より離脱することを防止することができる。
【００５１】
一方、電子部品取付用ソケット５１は、図９に示す従来例の如く底版１０３の四辺より立ち上げた周壁１０４に囲まれた部品嵌合部１０５を有する場合に比べ、周壁１０４を必要としない分小型化が可能となる。
【００５２】
尚、本発明に係る電子部品の基板接続構造では、上述の実施例で説明した弾性抜け止め部材２０に換えて図７、図８に示すように弾性抜け止め部材４０，４０を使用したものであってもよい。尚、図中符号４１は弾性抜け止め部材４０を使用した電子部品取付用ソケットであり、また、上述の実施例と同様の部分には、同一符号を付して説明を省略する。
【００５３】
弾性抜け止め部材４０は、導電性金属板材を打ち抜き、折り曲げ加工することにより一体に形成され、上述の実施例と同様に、平板状の固定板部２１と、固定板部２１の側縁より垂直上向きに折り曲げた形状の支持部２２を備えている。尚、固定板部２１は、接続基板Ｂに形成されたグランドパターンに半田付けされるようになっている。
【００５４】
また、この弾性抜け止め部材４０は、支持部２２の上縁部に支持された互いに平行な二股状に形成され弾性係止片４２と弾性押上片４３とを備え、弾性押上片４３は、弾性係止片４２のソケット奥行き方向奥側に配置されている。
【００５５】
この弾性係止片４２及び弾性押上片４３は、同形状に形成され、支持部２２の上縁よりコネクタ幅方向内側下方に向けて傾斜した形状のガイド片部４２ａ，４３ａを備えるとともに、ガイド片部４２ａ，４３ａのコネクタ幅方向内側にそれぞれ係止部４２ｂ、接触部４３ｂを備え、支持部２２側端部を基軸に上下方向で弾性変形できるようになっている。
【００５６】
両ガイド片部４２ａ，４３ａは、先端がソケット幅方向で部品嵌合部２の内側面と略同じ位置且つ内底面と略同じ高さとなるように形成され、電子部品５０を装着する際の位置決め用ガイドとして機能するようになっている。
【００５７】
係止部４２ｂ及び接触部４３ｂは、ガイド片先端部より上方に膨出した円弧状に折り曲げた形状に形成され、ケーブル嵌合部２側部のコネクタ奥行き方向手前側部に出入り可能に突出し、この係止部４２ｂ及び接触部４３ｂを上方より押圧することにより弾性係止片４２及び弾性押上片４３が弾性変形してケーブル嵌合部２内より退避する方向に移動し、押圧力が解除されると弾性復帰してケーブル嵌合部２内に突出するようになっている。
【００５８】
この電子部品取付用ソケット４１を使用した電子部品の基板接続構造では、電子部品５０を部品嵌合部２に嵌め込む際に、弾性係止片４２及び弾性押上片４３が張り出し部５３，５３下面により底板側に押圧されて部品嵌合部２より退避する方向に弾性変形し、電子部品５０底部を部品嵌合部２に向けて水平スライド移動させる際にその移動を阻害しないようになっている。
【００５９】
一方、電子部品５０をスライド移動させると張り出し部５３，５３が浮き上がり防止片３６，３６下に挿入されるとともに、張り出し部５３，５３のコネクタ奥行き方向奥側縁が当て止め部３１，３１に当て止めされて電子部品５０の底部がケーブル嵌合部２内に嵌り込み、電子部品５０の移動に伴い張り出し部５３，５３の位置が弾性係止片４２，４２上より移動すると、弾性係止片４２，４２が押圧された状態から解除されて弾性復帰し、図７に示すように、弾性係止片４２，４２が被係合部７，７のコネクタ奥行き方向手前側に突出して電子部品５０の移動を規制する。
【００６０】
一方、弾性押上片４３，４３は、張り出し部５３，５３下面に当接したままの状態にあり、弾性接触部４，４...とともに電子部品５０の底面を上向きに押圧し、電子部品５０の水平度を保つようになっている。
【００６１】
また、弾性押上片４３を電子部品５０の底部に露出させた端子、例えば、グランド接続用端子と弾性的に接触するようにしておけば、弾性抜け止め部材４０を介してグランド接続されるようになっている。
【符号の説明】
【００６２】
Ｂ  接続基板
２  部品嵌合部
３  ハウジング
４  弾性接触部
５  コンタクト
６  嵌め込み部
７  張り出し部
８  補強板
１０  モールド部材
１１  ホールドダウン部材
１２  底板部
１３  側壁部
１４  中央開口部
１５  基部
１６  連結部
１７  基板接続部
１８  切欠き部
２０  弾性抜け止め部材
２１  固定板部
２２  支持部
２３  弾性係止片
２４  段差部
２５  変形防止ガイド片部
２６  ガイド片部
２７  係止部
３０  フレーム部
３１  当て止め部片
３２  上板片
３３  側板片
３４  基板接続片
３５  固定部
３６  浮き上がり防止片
４０  弾性抜け止め部材
４１  電子部品取付用ソケット
４２  弾性係止片
４３  弾性押上片
５０  電子部品（カメラモジュール）
５１  電子部品取付用ソケット
５２  電子部品本体
５３，５４  張り出し部
【図１】
2013101799.tif 000003
【図２】
2013101799.tif 000004
【図３】
2013101799.tif 000005
【図４】
2013101799.tif 000006
【図５】
2013101799.tif 000007
【図６】
2013101799.tif 000008
【図７】
2013101799.tif 000009
【図８】
2013101799.tif 000010
【図９】
2013101799.tif 000011